(57)【要約】      （修正有）【課題】開店当初から遊技を楽しむ遊技者や、複数の日または複数の台において同じ機種のぱちんこ遊技機で遊技を楽しむ遊技者により多くの楽しみを与える。【解決手段】ぱちんこ遊技機１０において、起動時パターン選択テーブルでは、当否抽選の結果が外れであった場合におけるリーチとなる確率、すなわち変動パターン番号「１１」〜「１８」が選択される確率が、通常パターン選択テーブルよりも高くなるようパターン決定抽選値と変動パターン番号とが対応付けられている。変動パターン決定手段１１５は、ぱちんこ遊技機１０の起動時に、リーチ状態となる演出パターンに対応する変動パターン番号が通常パターン選択テーブルよりもこのように高い確率で選択される起動時パターン選択テーブルを、通常状態において変動パターンを選択するときに参照すべきパターン選択テーブルとして選択する。【選択図】図３
2010136801.tif 000002
【特許請求の範囲】
【請求項１】
遊技領域が形成された遊技盤と、
前記遊技領域の所定位置に設けられ、遊技球が入球可能な始動入賞口と、
前記始動入賞口への入球を契機に抽選値を取得する抽選手段と、
取得された抽選値が当たりを示すものか否かを表す図柄の変動が表示される表示装置と、
取得された抽選値が当たりを示すものか否かを表す図柄を決定する図柄決定手段と、
抽選値と前記図柄の変動過程が定められた変動パターンとの対応関係が互いに異なる複数のパターン選択テーブルを保持し、前記複数のパターン選択テーブルのうち一つを参照して、取得された抽選値に対応する変動パターンを選択する変動パターン決定手段と、
取得された抽選値が当たりを示すものであった場合に、通常遊技より遊技者に有利な特別遊技を実行する特別遊技制御手段と、
前記遊技領域の所定位置に設けられ、前記特別遊技が実行されるときに開放される大入賞口と、
前記特別遊技の終了後に通常遊技に移行するとき、通常状態よりも遊技者に有利な状態である特定遊技状態へ移行する特定遊技実行手段と、
前記選択された変動パターンに基づいて、前記図柄の変動表示に伴って表示すべき演出の過程が定められた演出パターンを決定する演出決定手段と、
決定された演出パターンにしたがって前記演出を前記表示装置に表示させる演出実行手段と、
を備え、
前記抽選手段および前記変動パターン決定手段は遊技の進行を制御する主制御装置に設けられ、前記演出決定手段および前記演出実行手段は遊技における演出の動作を制御する副制御装置に設けられ、
前記変動パターン決定手段は、当該遊技機が起動されてから所定期間が経過したときに、前記通常状態において変動パターンを選択するときに参照すべきパターン選択テーブルを変更することを特徴とする弾球遊技機。
【請求項２】
前記演出実行手段は、前記抽選値が当たりを示すものであるか否かを演出的に示す複数の装飾図柄の変動表示を含む演出を表示させ、
前記変動パターン決定手段は、当該遊技機が起動されてから所定期間が経過したときに、前記通常状態において変動パターンを選択するときに参照すべきパターン選択テーブルを、前記複数の装飾図柄の組合せが停止表示される有効ライン上の一つの装飾図柄の変動表示中に当該有効ライン上の他の装飾図柄が変動停止してあと一つが揃えば当たりとなる状態であるリーチ状態となる所定の演出パターンに対応する所定の変動パターンが、前記所定期間が経過した後の前記通常状態において参照すべき通常用のパターン選択テーブルよりも高い確率で選択される起動時用のパターン選択テーブルから、前記通常用のパターン選択テーブルに変更することを特徴とする請求項１に記載の弾球遊技機。
【請求項３】
前記変動パターン決定手段は、当該遊技機が起動されてから所定期間が経過したときに、前記通常状態において変動パターンを選択するときに参照すべきパターン選択テーブルを、含まれる変動パターンによる前記図柄の平均変動時間の設計値が、前記所定期間が経過した後の前記通常状態において参照すべき通常用のパターン選択テーブルより短い起動時用のパターン選択テーブルから、前記通常用のパターン選択テーブルに変更することを特徴とする請求項１に記載の弾球遊技機。
【請求項４】
遊技領域が形成された遊技盤と、
前記遊技領域の所定位置に設けられ、遊技球が入球可能な始動入賞口と、
前記始動入賞口への入球を契機に抽選値を取得する抽選手段と、
取得された抽選値が当たりを示すものか否かを表す図柄の変動が表示される表示装置と、
取得された抽選値が当たりを示すものか否かを表す図柄を決定する図柄決定手段と、
抽選値と前記図柄の変動過程が定められた変動パターンとの対応関係が互いに異なる複数のパターン選択テーブルを保持し、前記複数のパターン選択テーブルのうち一つを参照して、取得された抽選値に対応する変動パターンを選択する変動パターン決定手段と、
取得された抽選値が当たりを示すものであった場合に、通常遊技より遊技者に有利な特別遊技を実行する特別遊技制御手段と、
前記遊技領域の所定位置に設けられ、前記特別遊技が実行されるときに開放される大入賞口と、
前記特別遊技の終了後に通常遊技に移行するとき、通常状態よりも遊技者に有利な状態である特定遊技状態へ移行する特定遊技実行手段と、
前記選択された変動パターンに基づいて前記図柄の変動表示に伴って表示すべき演出の過程が定められた演出パターンを決定する演出決定手段と、
決定された演出パターンにしたがって前記演出を前記表示装置に表示させる演出実行手段と、
を備え、
前記抽選手段および前記変動パターン決定手段は遊技の進行を制御する主制御装置に設けられ、前記演出決定手段および前記演出実行手段は遊技における演出の動作を制御する副制御装置に設けられ、
前記変動パターン決定手段は、当該遊技機が起動されたときに、含まれる変動パターンによる前記図柄の平均変動時間の設計値が互いに異なる複数のパターン選択テーブルの中から、前記通常状態において参照すべきパターン選択テーブルを決定することを特徴とする弾球遊技機。
【請求項５】
前記演出実行手段は、前記抽選値が当たりを示すものであるか否かを演出的に示す複数の装飾図柄の変動表示を含む演出を表示させ、
前記変動パターン決定手段は、当該遊技機が起動されたときに、前記通常状態において変動パターンを選択するときに参照すべきパターン選択テーブルを、含まれる変動パターンによる前記図柄の平均変動時間の設計値が互いに異なるように、前記複数の装飾図柄の組合せが停止表示される有効ライン上の一つの装飾図柄の変動表示中に当該有効ライン上の他の装飾図柄が変動停止してあと一つが揃えば当たりとなる状態であるリーチ状態となる所定の演出パターンに対応する所定の変動パターンの選択確率が互いに異なる複数のパターン選択テーブルの中から、前記通常状態において参照すべきパターン選択テーブルを決定することを特徴とする請求項４に記載の弾球遊技機。
【発明の詳細な説明】
【技術分野】
【０００１】
本発明は、ぱちんこ遊技機等の弾球遊技機に関し、特に、ぱちんこ遊技機における図柄の変動表示の制御技術に関する。
【背景技術】
【０００２】
従来、各種の弾球遊技機のうち、いわゆる第１種ぱちんこ遊技機と呼ばれていた遊技機は、遊技盤の略中央に設けられた液晶ディスプレイなどの表示領域に複数の図柄を変動させながら表示する（以下、そうした表示を「図柄変動」または「変動表示」等という）。この遊技機は、複数列の図柄変動を停止させたときの図柄の組合せが特定の態様となった場合に、通常遊技より多くの賞球が得られる、いわゆる大当たりと呼ばれる特別遊技へと移行するものとして知られている（例えば、特許文献１参照）。表示領域における図柄の変動表示は、単に複数の図柄が変動表示されるだけでなく、いわゆるリーチ画面と呼ばれる状態のように、あと一つ図柄が揃えば大当たりとなる状態で変動表示の時間を通常よりも長くする等、遊技者の期待感を高めるための演出が図られている。また、図柄等の画像にキャラクタを用いて変動表示にストーリーを持たせる演出を施したり、特別遊技への移行確率を変動させる確率変動等の特定遊技の制御によっても遊技者の期待感を高めている。
【０００３】
一方、遊技者にとって有利な大当たり以外に、大当たりよりも遊技者の得る利益の少ない小当たりを備えた遊技機が知られている。このような遊技機では、小当たりを引き当てたとしても遊技状態の新たな展開に対する興趣を遊技者に与えることは容易ではない。このため、小当たり遊技状態終了後の所定期間は、通常の状態とは異なる特別演出モードに移行され、特定の変動パターンを選択する割合が通常の状態とは異なる選択データテーブルを用いて変動パターンを選択する遊技機が提案されている（例えば、特許文献２参照）。
【特許文献１】特開２００３−２３０７１４号公報
【特許文献２】特開２００４−２３００１７号公報
【発明の開示】
【発明が解決しようとする課題】
【０００４】
多くのぱちんこ遊技機の中から自身が遊技を行うぱちんこ遊技機を選択することができるよう、遊技者が開店前からホールの前に並ぶことは珍しいことではない。ホール側からすればこのような遊技者は大切な客であり、より多くの楽しみを感じてもらうことによってより多くホールに来店してくれることを願うと考えられる。また、同じ機種の複数のぱちんこ遊技機同士では釘の位置や当たりとなった履歴などが異なるが、そのような点はもはや多くの遊技者が認識しているところである。このため、例えば複数の日にまたがって同じ機種のぱちんこ遊技機で遊技を楽しむ場合や、複数の台を移動しながら同じ機種のぱちんこ遊技機で遊技を楽しむ場合においても、上記の違いだけでは遊技者に大きく興味を引かせることは難しい状況となっている。
【０００５】
本発明はこうした課題に鑑みてなされたものであり、その目的は、開店当初から遊技を楽しむ遊技者や、複数の日または複数の台において同じ機種のぱちんこ遊技機で遊技を楽しむ遊技者により多くの楽しみを与えることにある。
【課題を解決するための手段】
【０００６】
上記課題を解決するために、本発明のある態様の弾球遊技機は、遊技領域が形成された遊技盤と、遊技領域の所定位置に設けられ、遊技球が入球可能な始動入賞口と、始動入賞口への入球を契機に抽選値を取得する抽選手段と、取得された抽選値が当たりを示すものか否かを表す図柄の変動が表示される表示装置と、取得された抽選値が当たりを示すものか否かを表す図柄を決定する図柄決定手段と、抽選値と図柄の変動過程が定められた変動パターンとの対応関係が互いに異なる複数のパターン選択テーブルを保持し、複数のパターン選択テーブルのうち一つを参照して、取得された抽選値に対応する変動パターンを選択する変動パターン決定手段と、取得された抽選値が当たりを示すものであった場合に、通常遊技より遊技者に有利な特別遊技を実行する特別遊技制御手段と、遊技領域の所定位置に設けられ、特別遊技が実行されるときに開放される大入賞口と、特別遊技の終了後に通常遊技に移行するとき、通常状態よりも遊技者に有利な状態である特定遊技状態へ移行する特定遊技実行手段と、選択された変動パターンに基づいて、図柄の変動表示に伴って表示すべき演出の過程が定められた演出パターンを決定する演出決定手段と、決定された演出パターンにしたがって演出を表示装置に表示させる演出実行手段と、を備える。抽選手段および変動パターン決定手段は遊技の進行を制御する主制御装置に設けられ、演出決定手段および演出実行手段は遊技における演出の動作を制御する副制御装置に設けられ、変動パターン決定手段は、当該遊技機が起動されてから所定期間が経過したときに、通常状態において変動パターンを選択するときに参照すべきパターン選択テーブルを変更する。
【０００７】
この態様によれば、遊技機が起動されてから所定期間が経過するまでの間、例えば通常状態において普段用いられているものとは異なるパターン選択テーブルを用いて変動パターンを選択することが可能となる。このため、その間においていつもと演出の傾向を異ならせることなどが可能となり、例えば開店時から並んで来店した遊技者などにそのような傾向による演出を楽しんでもらうことが可能となる。したがって、「朝一番に来店すればより多くの楽しみを得ることができる」などと遊技者に感じさせることが可能となり、開店時などにおける遊技者の来店を喚起することができる。
【０００８】
なお、取得された抽選値が当たりを示すものか否かを表す図柄は、いわゆる特別図柄であってもよい。また、抽選手段は、抽選値として当否を判定するための当否抽選値を取得してもよく、図柄を決定するための図柄決定抽選値を取得してもよい。また、抽選手段は、抽選値として変動パターンを決定するためのパターン決定抽選値を取得してもよい。パターン選択テーブルには、パターン抽選値と変動パターンとの対応関係が定められていてもよい。なお、パターン選択テーブルにおいて抽選値と対応付けられている変動パターンは、図柄の変動時間を示すものであってもよい。
【０００９】
演出実行手段は、抽選値が当たりを示すものであるか否かを演出的に示す複数の装飾図柄の変動表示を含む演出を表示させ、変動パターン決定手段は、当該遊技機が起動されてから所定期間が経過したときに、通常状態において変動パターンを選択するときに参照すべきパターン選択テーブルを、複数の装飾図柄の組合せが停止表示される有効ライン上の一つの装飾図柄の変動表示中に当該有効ライン上の他の装飾図柄が変動停止してあと一つが揃えば当たりとなる状態であるリーチ状態となる所定の演出パターンに対応する所定の変動パターンが、所定期間が経過した後の通常状態において参照すべき通常用のパターン選択テーブルよりも高い確率で選択される起動時用のパターン選択テーブルから、通常用のパターン選択テーブルに変更してもよい。
【００１０】
この態様によれば、遊技機の起動後、所定期間が経過するまでの間は、リーチ状態となる演出を遊技者により多く見せることが可能となる。このため、例えば、普段はあまり頻繁に見ることの出来ないリーチ状態であっても、開店時など早期に来店する遊技者は見ることができる可能性を増加させることができる。このため、開店時など遊技者の早期の来店をより喚起することができる。
【００１１】
変動パターン決定手段は、当該遊技機が起動されてから所定期間が経過したときに、通常状態において変動パターンを選択するときに参照すべきパターン選択テーブルを、含まれる変動パターンによる図柄の平均変動時間の設計値が所定期間が経過した後の通常状態において参照すべき通常用のパターン選択テーブルより短い起動時用のパターン選択テーブルから、通常用のパターン選択テーブルに変更してもよい。
【００１２】
この態様によれば、遊技機の起動後、所定期間が経過するまでの間は、図柄の平均変動時間を短縮することができ、遊技開始から早期に当たりとなる可能性を、所定期間が経過した後に遊技を開始した場合よりも高めることができる。このため、このように遊技開始から早期に当たりとなりたい遊技者の開店時における来店を喚起することができる。
【００１３】
本発明の別の態様もまた、弾球遊技機である。この弾球遊技機は、遊技領域が形成された遊技盤と、遊技領域の所定位置に設けられ、遊技球が入球可能な始動入賞口と、始動入賞口への入球を契機に抽選値を取得する抽選手段と、取得された抽選値が当たりを示すものか否かを表す図柄の変動が表示される表示装置と、取得された抽選値が当たりを示すものか否かを表す図柄を決定する図柄決定手段と、抽選値と図柄の変動過程が定められた変動パターンとの対応関係が互いに異なる複数のパターン選択テーブルを保持し、複数のパターン選択テーブルのうち一つを参照して、取得された抽選値に対応する変動パターンを選択する変動パターン決定手段と、取得された抽選値が当たりを示すものであった場合に、通常遊技より遊技者に有利な特別遊技を実行する特別遊技制御手段と、遊技領域の所定位置に設けられ、特別遊技が実行されるときに開放される大入賞口と、特別遊技の終了後に通常遊技に移行するとき、通常状態よりも遊技者に有利な状態である特定遊技状態へ移行する特定遊技実行手段と、選択された変動パターンに基づいて図柄の変動表示に伴って表示すべき演出の過程が定められた演出パターンを決定する演出決定手段と、決定された演出パターンにしたがって演出を表示装置に表示させる演出実行手段と、を備える。抽選手段および変動パターン決定手段は遊技の進行を制御する主制御装置に設けられ、演出決定手段および演出実行手段は遊技における演出の動作を制御する副制御装置に設けられ、変動パターン決定手段は、当該遊技機が起動されたときに、含まれる変動パターンによる図柄の平均変動時間の設計値が互いに異なる複数のパターン選択テーブルの中から、通常状態において参照すべきパターン選択テーブルを決定する。
【００１４】
この態様によれば、例えば複数の日にまたがって同じ機種のぱちんこ遊技機で遊技を楽しむ場合や、例えば複数の日にまたがって同じ機種のぱちんこ遊技機で遊技を楽しむ場合や、複数の台を移動しながら同じ機種のぱちんこ遊技機で遊技を楽しむ場合において、同じ機種であっても異なる傾向の演出を遊技者に提供することができる。このため、同じ機種で複数回にわたって遊技を楽しむ場合においても、「今度はどのような傾向の演出が実行されるだろうか」という楽しみを遊技者に与えることができる。
【００１５】
演出実行手段は、抽選値が当たりを示すものであるか否かを演出的に示す複数の装飾図柄の変動表示を含む演出を表示させ、変動パターン決定手段は、当該遊技機が起動されたときに、通常状態において変動パターンを選択するときに参照すべきパターン選択テーブルを、含まれる変動パターンによる前記図柄の平均変動時間の設計値が互いに異なるように、複数の装飾図柄の組合せが停止表示される有効ライン上の一つの装飾図柄の変動表示中に当該有効ライン上の他の装飾図柄が変動停止してあと一つが揃えば当たりとなる状態であるリーチ状態となる所定の演出パターンに対応する所定の変動パターンの選択確率が互いに異なる複数のパターン選択テーブルの中から決定してもよい。
【００１６】
この態様によれば、例えば同じ機種のぱちんこ遊技機であっても、あるリーチ状態となる確率が相対的に高い遊技機と、そのリーチ状態になる確率が相対的に低い遊技機とを設けることができる。このため、例えば複数の日にまたがって同じ機種のぱちんこ遊技機で遊技を楽しむ場合や、複数の台を移動しながら同じ機種のぱちんこ遊技機で遊技を楽しむ場合において、「前回はあまり見られなかったリーチ状態を今回は頻繁に見ることができる。」など、あるリーチ状態となる演出の実行頻度に関する楽しみを遊技者に与えることができる。
【００１７】
なお、以上の構成要素の任意の組合せや、本発明の構成要素や表現を方法、装置、システム、コンピュータプログラム、コンピュータプログラムを格納した記録媒体、データ構造などの間で相互に置換したものもまた、本発明の態様として有効である。
【発明の効果】
【００１８】
本発明によれば、開店当初から遊技を楽しむ遊技者や、複数の日または複数の台において同じ機種のぱちんこ遊技機で遊技を楽しむ遊技者により多くの楽しみを与えることができる。
【発明を実施するための最良の形態】
【００１９】
（第１の実施例）
図１は、ぱちんこ遊技機の前面側における基本的な構造を示す。以下、弾球遊技機として従来にいういわゆる第１種ぱちんこ遊技機を例に説明する。ぱちんこ遊技機１０は、主に遊技機枠と遊技盤で構成される。ぱちんこ遊技機１０の遊技機枠は、外枠１１、前枠１２、透明板１３、扉１４、上球皿１５、下球皿１６、および発射ハンドル１７を含む。外枠１１は、開口部分を有し、ぱちんこ遊技機１０を設置すべき位置に固定するための枠体である。前枠１２は、外枠１１の開口部分に整合する枠体であり、図示しないヒンジ機構により外枠１１へ開閉可能に取り付けられる。前枠１２は、遊技球を発射する機構や、遊技盤を着脱可能に収容させるための機構、遊技球を誘導または回収するための機構等を含む。
【００２０】
透明板１３は、ガラスなどにより形成され、扉１４により支持される。扉１４は、図示しないヒンジ機構により前枠１２へ開閉可能に取り付けられる。上球皿１５は、遊技球の貯留、発射レールへの遊技球の送り出し、下球皿１６への遊技球の抜き取り等の機構を有する。下球皿１６は、遊技球の貯留、抜き取り等の機構を有する。上球皿１５と下球皿１６の間にはスピーカ１８が設けられており、遊技状態などに応じた効果音が出力される。
【００２１】
遊技盤５０は、外レール５４と内レール５６により区画された遊技領域５２上に、アウト口５８、特別図柄表示装置６１、演出表示装置６０、始動入賞口（以下、「始動口」という）６２、センター飾り６４、大入賞口６６、作動口６８、一般入賞口７２を含む。さらに遊技領域５２には、図示しない複数の遊技釘や風車などの機構が設置される。始動口６２は、遊技球の入球を検出するための始動入賞検出装置７４と、始動口６２の拡開機構を拡開させるための普通電動役物ソレノイド７６を備える。始動口６２の拡開機構が拡開されたとき、始動口６２の開口幅が拡がって入球容易性が向上する。始動入賞検出装置７４は、始動口６２への遊技球の入球を検出するセンサであり、入球時にその入球を示す始動入賞情報を生成する。一般入賞口７２は、遊技球の入球を検出するための一般入賞検出装置７３を備える。一般入賞検出装置７３は、一般入賞口７２への遊技球の入球を検出するセンサであり、入球時にその入球を示す一般入賞情報を生成する。大入賞口６６は、遊技球の入球を検出するための入賞検出装置７８と、大入賞口６６を拡開させるための大入賞口ソレノイド８０を備える。入賞検出装置７８は、大入賞口６６への遊技球の入球を検出するセンサであり、入球時にその入球を示す大入賞口入賞情報を生成する。
【００２２】
大入賞口６６は、特別図柄１９２が所定の態様にて停止したときに「大当たり」として開放状態となる横長方形状の入賞口である。大入賞口６６はアウト口５８の上方等の位置に設けられる。大入賞口６６の入賞検出装置７８は、遊技球の通過を検出するセンサを備えて構成される。
【００２３】
遊技領域５２の左方に設けられた特別図柄表示装置６１および遊技領域５２の略中央に設けられた演出表示装置６０は、それぞれの画面に特別図柄１９２の変動と、特別図柄１９２に連動する装飾図柄１９０を含む演出画像の変動を表示する（以下、そうした表示を「図柄変動」または「変動表示」等という）。ここで、特別図柄１９２は、始動口６２への遊技球の落入を契機として行われる抽選の結果に対応した図柄であり、その変動表示が停止されたときの図柄態様が当たりと定められた図柄であった場合、その停止図柄が表示されたタイミングが大当たり発生タイミングとなる。特別図柄表示装置６１は、例えば７セグメントＬＥＤで構成される表示手段である。演出表示装置６０は、特別図柄１９２の変動表示と連動する形で装飾図柄１９０を変動表示する液晶ディスプレイである。装飾図柄１９０は、特別図柄１９２で示される抽選の結果表示を視覚的に演出するための図柄である。演出表示装置６０は、装飾図柄１９０として、例えばスロットマシンのゲームを模した複数列の図柄変動の動画像を画面の中央領域に表示する。演出表示装置６０は、この実施例では液晶ディスプレイで構成されるが、ドラムなどの機械式回転装置やＬＥＤなどの他の表示手段で構成されてもよい。なお、特別図柄１９２は必ずしも演出的な役割をもつことを要しないため、第１の実施例では演出表示装置６０の左下方の特別図柄表示装置６１にて目立たない大きさで表示させるが、特別図柄自体に演出的な役割をもたせて装飾図柄を表示させないような手法を採用する場合には、特別図柄を演出表示装置６０のような液晶ディスプレイに表示させてもよい。作動口６８は、遊技盤５０の左側方位置に設けられる。作動口６８は、通過検出装置６９を含む。通過検出装置６９は、作動口６８への遊技球の通過を検出するセンサであり、通過時にその通過を示す通過情報を生成する。作動口６８への遊技球の通過は始動口６２の拡開機構を拡開させるか否かを決定する開放抽選の契機となる。作動口６８を遊技球が通過すると、開放抽選の結果を示す図柄である普通図柄が普通図柄表示装置５９に変動表示される。普通図柄表示装置５９は演出表示装置６０の右下方に設けられる。所定時間の経過後に普通図柄の変動表示が停止すると、通常、５０％から８０％程度の確率で始動口６２が所定時間拡開する。
【００２４】
演出表示装置６０の周囲には、センター飾り６４が設けられる。センター飾り６４は、遊技球の流路、特別図柄表示装置６１および演出表示装置６０の保護、装飾等の機能を有する。演出表示装置６０の下方には、抽選保留ランプ２０が設けられ、その対称的な位置である遊技領域５２の右下部には、普通図柄表示装置５９の下に作動保留ランプ２２が設けられている。抽選保留ランプ２０は、４個のランプからなり、その点灯個数によって当否抽選の保留数を表示する。当否抽選の保留数は、図柄変動中または特別遊技中に始動口６２へ入賞した抽選結果の個数であり、図柄変動がまだ実行されていない入賞球の数を示す。作動保留ランプ２２もまた４個のランプからなり、その点灯個数によって普通図柄変動の保留数を表示する。普通図柄変動の保留数は、普通図柄の変動中に作動口６８を通過した遊技球の個数であり、普通図柄の変動がまだ実行されていない普通図柄抽選の数を示す。さらに演出表示装置６０の上方および下方には、それぞれ遊技効果ランプ９０が設けられている。操作ボタン８２は、遊技者が遊技機へ所定の指示を入力するために操作するボタンである。操作ボタン８２は、上球皿１５近傍の外壁面に設けられる。
【００２５】
遊技者が発射ハンドル１７を手で回動させると、その回動角度に応じた強度で上球皿１５に貯留された遊技球が１球ずつ内レール５６と外レール５４に案内されて遊技領域５２へ発射される。遊技者が発射ハンドル１７の回動位置を手で固定させると一定の時間間隔で遊技球の発射が繰り返される。遊技領域５２の上部へ発射された遊技球は、複数の遊技釘や風車に当たりながらその当たり方に応じた方向へ落下する。遊技球が一般入賞口７２や始動口６２、大入賞口６６の各入賞口へ落入すると、その入賞口の種類に応じた賞球が上球皿１５または下球皿１６に払い出される。一般入賞口７２等の各入賞口に落入した遊技球はセーフ球として処理され、アウト口５８に落入した遊技球はアウト球として処理される。なお、各入賞口は遊技球が通過するゲートタイプのものを含み、本願において「落入」「入球」「入賞」というときは「通過」を含むものとする。
【００２６】
遊技球が始動口６２に落入すると、特別図柄表示装置６１および演出表示装置６０において特別図柄１９２および装飾図柄１９０が変動表示される。特別図柄１９２および装飾図柄１９０の変動表示は、表示に先だって決定された表示時間の経過後に停止される。停止時の特別図柄１９２および装飾図柄１９０が大当たりを示す図柄である場合、通常遊技よりも遊技者に有利な遊技状態である特別遊技に移行し、大入賞口６６の開閉動作が開始される。このときスロットマシンのゲームを模した装飾図柄１９０は、３つの図柄を一致させるような表示態様をとる。特別遊技において、大入賞口６６は、約３０秒間開放された後、または９球以上の遊技球が落入した後で一旦閉鎖される。このような大入賞口６６の開閉が所定回数、例えば１５回繰り返される。
【００２７】
特別遊技が終了した後の通常遊技においては特定遊技の一つである変動時間短縮遊技（以下、適宜「時短」という）が開始される。変動時間短縮遊技においては、特別図柄および装飾図柄の変動時間が通常より短縮される。特別図柄および装飾図柄の変動時間は、所定の変動回数の変動表示がなされた後で元の変動時間に戻される。特別遊技が発生した場合であってそのときの当たり停止図柄が特定の態様であった場合、特別遊技の終了後に特定遊技の一つである確率変動遊技（以下、適宜「確変」という）がさらに開始される。確率変動遊技においては、通常の確率状態より当たりの確率が高い抽選が行われ、比較的早期に新たな特別遊技が発生する。
【００２８】
図２は、ぱちんこ遊技機の背面側における基本的な構造を示す。電源スイッチ４０はぱちんこ遊技機１０の電源をオンオフするスイッチである。メイン基板１０２は、ぱちんこ遊技機１０の全体動作を制御する主制御装置として機能し、特に始動口６２へ入賞したときの抽選等、遊技動作全般を処理する。サブ基板１０４は、液晶ユニット４２を備え、演出表示装置６０における表示内容や複数の可動役物１４０の動作、遊技効果ランプ９０の点灯を制御し、特にメイン基板１０２による抽選結果に応じて表示内容を変動させ、その演出の進行に沿って可動役物１４０や遊技効果ランプ９０の点灯を作動させる。したがってサブ基板１０４は、遊技における演出の動作を制御する副制御装置として機能する。メイン基板１０２およびサブ基板１０４は、遊技制御装置１００を構成する。セット基板３９は、賞球タンク４４や賞球の流路、賞球を払い出す払出ユニット４３等を含む。払出ユニット４３は、各入賞口への入賞に応じて賞球タンク４４から供給される遊技球を上球皿１５へ払い出す。払出制御基板４５は、払出ユニット４３による払出動作を制御する。発射装置４６は、上球皿１５の貯留球を遊技領域５２へ１球ずつ発射する。発射制御基板４７は、発射装置４６の発射動作を制御する。電源ユニット４８は、ぱちんこ遊技機１０の各部へ電力を供給する。
【００２９】
図３は、第１の実施例におけるぱちんこ遊技機１０の機能ブロックを示す。ぱちんこ遊技機１０において、遊技制御装置１００は、始動口６２、大入賞口６６、一般入賞口７２、作動口６８、特別図柄表示装置６１、演出表示装置６０、普通図柄表示装置５９、操作ボタン８２、スピーカ１８、遊技効果ランプ９０、可動役物１４０のそれぞれと電気的に接続されており、各種制御信号の送受信を可能とする。遊技制御装置１００は、遊技の基本動作だけでなく、図柄変動表示や可動役物１４０、電飾等の演出的動作も制御する。遊技制御装置１００は、遊技の基本動作を含むぱちんこ遊技機１０の全体動作を制御するメイン基板１０２と、図柄の演出等を制御するサブ基板１０４とに機能を分担させた形態で構成される。遊技制御装置１００は、ハードウエア的にはデータやプログラムを格納するＲＯＭやＲＡＭ、演算処理に用いるＣＰＵ等の素子を含んで構成される。
【００３０】
第１の実施例におけるメイン基板１０２は、入球判定手段１１０、当否抽選手段１１２、図柄決定手段１１４、変動パターン決定手段１１５、保留制御手段１１６、メイン表示制御手段１１８、特別遊技制御手段１２０、特定遊技実行手段１２２、開閉制御手段１２４を備える。第１の実施例におけるサブ基板１０４は、パターン記憶手段１３０、図柄態様決定手段１３１、演出決定手段１３２、演出表示制御手段１３４、役物制御手段１３６を備える。なお、メイン基板１０２に含まれる各機能ブロックは、いずれかがメイン基板１０２ではなくサブ基板１０４に搭載されるかたちで構成されてもよい。同様に、サブ基板１０４に含まれる各機能ブロックは、いずれかがサブ基板１０４ではなくメイン基板１０２に搭載されるかたちで構成されてもよい。
【００３１】
入球判定手段１１０は、各入賞口への遊技球の入球を判定する。入球判定手段１１０は、始動入賞情報を受け取ると遊技球が始動口６２に入賞したと判断し、大入賞口入賞情報を受け取ると遊技球が大入賞口６６に入賞したと判断し、一般入賞情報を受け取ると遊技球が一般入賞口７２に入賞したと判断する。入球判定手段１１０は、通過情報を受け取ると遊技球が作動口６８を通過したと判断する。
【００３２】
当否抽選手段１１２は、始動口６２への遊技球の入球を契機として、通常遊技より遊技者に有利な状態である特別遊技へ移行するか否かを判定するために乱数の値を当否抽選値として取得する。たとえば、当否抽選値は「０」から「６５５３５」までの値範囲から取得される。なお、本願にいう「乱数」は、数学的に発生させる乱数でなくてもよく、ハードウエア乱数やソフトウエア乱数などにより発生させる疑似乱数でもよい。当否抽選手段１１２は、当否判定で参照する当否テーブルを複数保持する。複数の当否テーブルには、当たりまたは外れの判定結果と当否抽選値とが対応付けられており、対応付けられた当たりの範囲設定に応じて当否確率が定まる。当否抽選手段１１２は、通常時には通常確率による当否判定のための当否テーブルを参照し、確率変動時には通常確率より当たりの確率が高くなる当否テーブルを参照する。当否抽選手段１１２は、複数の当否テーブルのうちいずれかを参照し、当否抽選値が当たりであるか否かを判定する。当否抽選手段１１２による判定結果は、特別図柄表示装置６１において特別図柄の形で変動表示される。また、当否抽選手段１１２による判定結果を演出的に示す装飾図柄が演出表示装置６０において変動表示される。
【００３３】
図柄決定手段１１４は、図柄決定抽選を実行することにより特別図柄を決定するための図柄決定抽選値を取得し、当否抽選手段１１２による当否判定結果と図柄決定抽選値とに応じて特別図柄の停止図柄を決定する。具体的には、図柄決定手段１１４は、図柄決定テーブルを保持する。図柄決定手段１１４は、図柄決定抽選値を取得するとこの図柄決定テーブルを参照し、当否抽選値が大当たりを示すものか否かに応じて、取得した図柄決定抽選値に対応付けられた特別図柄を選択する。図柄決定手段１１４は、決定した停止図柄を示すデータをメイン表示制御手段１１８、図柄態様決定手段１３１、演出決定手段１３２へ送出する。
【００３４】
図柄決定手段１１４は、遊技球が作動口６８を通過した場合に、普通図柄を決定するための抽選乱数を取得し、その抽選乱数に応じて普通図柄の停止図柄を決定する。普通図柄の停止図柄が特定の図柄であった場合、開閉制御手段１２４が始動口６２の普通電動役物を所定時間拡開する。
【００３５】
変動パターン決定手段１１５は、パターン決定抽選値と図柄の変動過程が定められた変動パターンとの対応関係が互いに異なる複数のパターン選択テーブルであって、変動パターンを決定するために参照すべき複数のパターン選択テーブルを保持する。複数のパターン選択テーブルのそれぞれには、変動パターンとその変動パターンを決定するための抽選値との対応関係が定められている。複数のパターン選択テーブルには、通常時において参照される通常パターン選択テーブルと、変動時間短縮時に参照される時短パターン選択テーブルが含まれる。
【００３６】
ここでいう変動時間短縮時とは、時短状態の場合や、当否抽選結果の保留数が３個以上になった場合をいう。時短パターン選択テーブルは、通常パターン選択テーブルより、最高変動時間が短い変動パターンを含んでいる。例えば、時短パターン選択テーブルには、パターン決定抽選値と１０秒以下の変動時間の変動パターンとが対応付けられている。時短パターン選択テーブルは公知であるため、これ以上の説明を省略する。
【００３７】
また、複数のパターン選択テーブルには、通常時において参照される特別なテーブルとして、通常パターン選択テーブルとは異なる対応関係が定められた複数種の特殊パターン選択テーブルが含まれる。第１の実施例では、変動パターン決定手段１１５は、第１特殊パターン選択テーブルおよび第２特殊パターン選択テーブルの２種類の特殊パターン選択テーブルを保持する。変動パターン決定手段１１５は、以上の様々なパターン選択テーブルのうち一つを参照して、取得されたパターン決定抽選値に対応する変動パターンを選択する。変動パターン決定手段１１５は、いずれのパターン選択テーブルを参照するかを示す情報を演出決定手段１３２へ送信する。
【００３８】
変動パターン決定手段１１５は、変動パターンを決定するために変動パターン決定抽選を実施する。具体的には、変動パターン決定手段１１５は、始動口６２への入球を契機にパターン決定抽選値を取得する。このため変動パターン決定手段１１５は、抽選値を取得する抽選手段としても機能する。変動パターン決定手段１１５は、当否抽選および図柄決定抽選の結果に応じて、取得したパターン決定抽選値にパターン選択テーブルにおいて対応付けられた変動パターンを選択する。
【００３９】
図柄決定手段１１４は、決定した変動パターンを示すデータを変動パターン番号として、メイン表示制御手段１１８、図柄態様決定手段１３１、演出決定手段１３２へ送出する。変動パターン決定手段１１５は、特別図柄を変動表示させるときの変動開始から停止までの変動態様が定められた複数種の変動パターンを記憶する。複数種の変動パターンは、長短様々な変動時間をもつとともに、その変動時間にて複数の図柄で構成される装飾図柄による図柄変動も実行されることを前提として規定される。各変動パターンには、その図柄変動の終了条件としてパターンごとに変動表示時間が定められており、その変動表示時間の経過時に特別図柄および装飾図柄の変動が停止される。
【００４０】
保留制御手段１１６は、当否抽選手段１１２により取得された当否抽選値を保留球として保持する。当否抽選値は、その保留数が所定の上限に達するまで蓄積される。保留数の上限は４である。
【００４１】
メイン表示制御手段１１８は、当否抽選手段１１２による抽選の結果を、図柄決定手段１１４により決定された変動パターンにしたがって特別図柄の変動表示として特別図柄表示装置６１に表示させる。メイン表示制御手段１１８は、特別図柄の変動表示を開始するタイミングと停止するタイミングにて、変動開始コマンドと変動停止コマンドを演出表示制御手段１３４へ送信することにより、メイン表示制御手段１１８および演出表示制御手段１３４による変動表示が同期し、連動が保たれる。メイン表示制御手段１１８は、普通図柄の変動を普通図柄表示装置５９に表示させる。
【００４２】
特別遊技制御手段１２０は、当否抽選手段１１２による当否抽選結果が当たりであった場合に、特別遊技の実行処理を制御する。特別遊技は、大入賞口６６の開閉動作を複数回数連続して継続する遊技であり、１回の開閉を単位とした複数回の単位遊技で構成される。単位遊技は例えば１５回を上限として繰り返され、１回の単位遊技において大入賞口６６を約３０秒間開放させる。特別遊技制御手段１２０は、単位遊技の継続回数が上限回数に達していなければ、現在の単位遊技の終了後に次の単位遊技を開始させる。単位遊技の上限回数を消化した場合には、特別遊技を終了させる。
【００４３】
特定遊技実行手段１２２は、遊技状態を通常状態から特定遊技状態へ移行させる制御と、特定遊技状態から通常状態へ戻す制御を実行する。第１の実施例における特定遊技には、当否抽選の当選確率を通常確率の状態から高確率の状態へ切り替える確変と、図柄変動時間を通常時間より短時間へ切り替える時短とがある。
【００４４】
特定遊技実行手段１２２は、当否抽選値が当たりを示す値であり、さらに図柄決定抽選値が確変状態へ移行すべき値であった場合に、特別遊技後の遊技状態を確変状態へ移行させる。確変状態は原則として次の大当たりが発生するまで続行され、その間は当否抽選手段１１２による当たり判定の確率が高い値のまま維持される。また、特定遊技実行手段１２２は、当否抽選値の如何に関わらず、特別遊技後に遊技状態を時短の状態へ移行させる。時短は、特別遊技後の特別図柄の変動回数が所定回数、たとえば１００回に至るまで継続される。
【００４５】
開閉制御手段１２４は、始動口６２の普通電動役物や大入賞口６６の開閉を制御する。開閉制御手段１２４は、普通図柄が特定の図柄で停止されると、普通電動役物ソレノイド７６に開放指示を送り、始動口６２を開放させる。また、開閉制御手段１２４は、特別遊技中、大入賞口ソレノイド８０に開放指示を送り、大入賞口６６を開放させる。
【００４６】
パターン記憶手段１３０は、装飾図柄１９０の変動において演出表示装置６０に表示させる演出的な画像内容とその表示過程が定められた複数の演出パターンを保持する。演出パターンには、装飾図柄１９０の変動表示における変動開始から停止までの変動過程と演出過程が定められた複数の変動演出パターンと、装飾図柄の変動表示とは別に表示されて大当たりへの期待度の高さを予告的に示唆する複数の予告演出パターンとが含まれる。
【００４７】
演出決定手段１３２は、当否抽選手段１１２による抽選の結果、特別図柄の停止図柄、特別図柄の変動パターンに応じて変動演出パターンを決定する。演出決定手段１３２は、変動演出パターンを決定するために参照すべきパターンテーブルを保持する。演出決定手段１３２は、決定した変動演出パターンの情報を演出表示制御手段１３４へ送る。
【００４８】
変動演出パターンには、通常の外れの図柄組合せを表示するときのパターンと、３つの装飾図柄１９０の組合せが停止表示される有効ライン上の一つの装飾図柄１９０の変動表示中に当該有効ライン上の他の装飾図柄１９０が変動停止してあと一つが揃えば当たりとなる状態であるリーチ状態を経て外れの図柄組合せを表示するときのパターンと、リーチ状態を経て大当たりの図柄組合せを表示するときのパターンが含まれる。特に、リーチ状態を経るときのパターンとしては、長短様々な変動時間をもつパターンが含まれる。特に、変動時間が相対的に短いリーチ変動演出パターンは「ノーマルリーチ」と呼ばれ、変動時間が相対的に長いリーチ変動演出パターンは「スーパーリーチ」と呼ばれる。各変動演出パターンには、その図柄変動の終了条件としてパターンごとに変動時間が定められており、その変動時間の経過時に図柄変動が停止される。演出決定手段１３２は、特別図柄の変動パターンに応じて、変動時間が等しい演出画像の変動演出パターンを選択する。
【００４９】
図柄態様決定手段１３１は、装飾図柄１９０の停止図柄の組合せとその配置を、当否抽選手段１１２による抽選の結果、特別図柄の停止図柄、特別図柄の変動パターン、装飾図柄１９０の変動演出パターンに応じて決定する。図柄態様決定手段１３１は、決定した停止図柄の組合せを示す情報を演出表示制御手段１３４へ送信する。図柄態様決定手段１３１は、装飾図柄１９０の停止図柄を決定するために参照すべき図柄範囲テーブルを保持する。
【００５０】
装飾図柄１９０の停止図柄は、３つの図柄の組合せとして形成され、たとえば当否抽選手段１１２による判定結果が特別遊技への移行を示す場合は「７７７」や「１１１」のように３つの図柄が揃った組合せが選択される。この場合、装飾図柄１９０として揃える数字には、特別図柄と同じ数字が選ばれるのが好ましい。たとえば、特別図柄が「３」の場合は装飾図柄１９０が「３３３」となる。当否抽選手段１１２による判定結果が特別遊技へ移行しない旨を示す場合は、「３１２」や「９４６」のように３つの図柄が揃っていない組合せが選択される。ただし、当否判定結果が特別遊技へ移行しない旨を示す場合であって、リーチ付きの外れを示す特別図柄の変動パターンや装飾図柄１９０の変動演出パターンが選択された場合は、「１９１」や「７２７」のように一つだけ図柄が揃っていない組合せを選択する。
【００５１】
予告演出パターンは、特定のキャラクタやモチーフの画像、アニメーション、映像などを一時的に画面表示させる演出パターンや、特定の音声を出力する演出パターンである。予告演出パターンによる演出は、図柄変動と並行して実行され、その図柄変動が大当たり態様にて停止する期待度が高いことを予告的に示唆する。例えば、キャラクタの画像を一つだけ画面に表示させるだけの通常予告演出や、多数のキャラクタの群れを画面の一端から他端へ通過させるように表示させる群予告演出がある。また、予告演出の表示過程を複数段階に分け、表示させる段階数を可変にして段階数が多いほど大当たりへの期待度が高くなるように設定されるステップアップ予告演出がさらに含まれる。
【００５２】
予告演出パターンには、装飾図柄１９０の表示態様がリーチ状態となった後のタイミングで演出が実行されて図柄の最終的な停止態様を予告するパターンと、装飾図柄１９０が一つも停止していないタイミングで演出が実行されてリーチ状態となることを同時に予告するパターンとがある。
【００５３】
演出決定手段１３２は、当否抽選の結果に応じて演出表示装置６０に予告演出を表示させるか否かを所定の予告抽選により決定するとともに、表示させるべき予告演出パターンを決定する。演出決定手段１３２は、予告演出を表示させるか否かを決定するために参照すべき予告決定テーブルと、予告演出パターンの種類を選択するときに参照すべき予告種類テーブルとを保持する。予告決定テーブルは、当否抽選の結果に応じて異なる欄が参照されるように設定されており、当否抽選が当たりの場合は外れの場合よりも高い確率で予告演出を表示させるよう、当否抽選の結果と予告演出を表示するか否かの対応関係が定められる。これにより、予告演出が表示されること自体で大当たりへの期待度の高さを示唆することができる。
【００５４】
演出表示制御手段１３４は、当否抽選手段１１２による当否抽選の結果として、選択された変動演出パターンデータにしたがって演出表示装置６０へ装飾図柄１９０を含む演出画像を変動表示させる。したがって、演出表示制御手段１３４は、選択された演出パターンにしたがって演出を実行する演出実行手段として機能する。
【００５５】
演出表示制御手段１３４は、予告演出を表示させる旨が演出決定手段１３２により決定された場合、選択された予告演出パターンにしたがった予告演出を演出表示装置６０へ表示させる。演出表示制御手段１３４は、遊技効果ランプ９０の点灯および消灯や、スピーカ１８からの音声出力などの演出処理をさらに制御する。
【００５６】
役物制御手段１３６は、演出表示制御手段１３４から受け取る指示にしたがい、演出表示装置６０における演出内容や遊技効果ランプ９０の点滅過程に沿って、可動役物１４０を演出的に動作させる。したがって、役物制御手段１３６もまた、選択された演出パターンにしたがって演出を実行する演出実行手段として機能する。
【００５７】
図４は、第１の実施例に係る通常パターン選択テーブルを示す図である。参照すべきパターン選択テーブルとして、通常は通常パターン選択テーブルが選択されている。通常パターン選択テーブルでは、当否抽選の結果に応じて、パターン決定抽選値と変動パターン番号とが対応付けられている。具体的には、まず当否抽選の結果が当たりの場合、「０１」〜「０８」の変動パターン番号の各々が、「０」〜「２５５」のパターン決定抽選値の中の所定範囲と対応付けられている。また、当否抽選の結果が外れの場合、「１１」〜「２０」の変動パターン番号の各々が、「０」〜「２５５」のパターン決定抽選値の中の所定範囲と対応付けられている。なお、「０１」〜「０８」の変動パターン番号には、「４５秒」から「１００秒」までの異なる複数種類の変動時間がそれぞれ定められている。また、「１１」〜「４０」の変動パターン番号には、「１０秒」から「９５秒」までの異なる複数種類の変動時間がそれぞれ定められている。
【００５８】
変動パターン番号「０１」〜「０４」、「１１」〜「１４」は、上述のスーパーリーチとなる演出に対応する変動パターン番号とされている。演出決定手段１３２は、変動パターン番号「０１」〜「０４」、「１１」〜「１４」のいずれかが選択された場合、スーパーリーチとなる演出を実行する演出パターンを選択する。また、変動パターン番号「０５」〜「０８」、「１５」〜「１８」は、上述のノーマルリーチとなる演出に対応する変動パターン番号とされている。演出決定手段１３２は、変動パターン番号「０５」〜「０８」、「１５」〜「１８」のいずれかが選択された場合、ノーマルリーチとなる演出を実行する演出パターンを選択する。変動パターン番号「１９」および「２０」は、リーチとならない演出に対応する変動パターン番号とされている。演出決定手段１３２は、変動パターン番号「１９」または「２０」が選択された場合、リーチとならない演出を実行する演出パターンを選択する。
【００５９】
なお、変動パターン番号「０１」〜「０８」の各々は、変動パターン番号「１１」〜「１８」の各々に対応する変動パターン番号とされている。演出決定手段１３２は、変動パターン番号として「０１」〜「０８」のいずれかが選択された場合、変動パターン番号「１１」〜「１８」のうち対応する変動パターン番号が選択されたときの演出パターンと途中までの演出過程が共通する演出パターンを選択する。例えば当否抽選の結果が当たりとなって、変動パターン「０１」が選択された場合、演出決定手段１３２は、キャラクタＡが敵キャラクタＢと戦い、変動パターン番号「１１」が選択されたときに表示される格闘シーンと共通するシーンを経て勝利する演出が演出表示装置６０に表示される演出パターンを選択する。また、例えば当否抽選の結果が外れとなって、変動パターン「１１」が選択された場合、演出決定手段１３２は、キャラクタＡが敵キャラクタＢと戦い、変動パターン番号「０１」が選択されたときに表示される格闘シーンと共通するシーンを経て敗北する演出が演出表示装置６０に表示される演出パターンを選択する。
【００６０】
さらに、変動パターン番号「１１」〜「１４」は概ね同じ確率で選択されるのに対し、変動パターン番号「０１」〜「０４」は、番号が小さい方が高い確率で選択されるよう、パターン決定抽選値と変動パターン番号とが対応付けられている。また、変動パターン番号「１５」〜「１８」も概ね同じ確率で選択されるのに対し、変動パターン番号「０５」〜「０８」は、番号が小さい方が高い確率で選択されるよう、パターン決定抽選値と変動パターン番号とが対応付けられている。これにより、番号が小さい変動パターン番号が決定されたときに選択される演出パターンに含まれる、上記「共通する演出過程」が、当否抽選の結果が当たりである可能性、すなわち「期待度」が高いことを示唆するものとしている。
【００６１】
図５は、第１の実施例に係る起動時パターン選択テーブルを示す図である。第１の実施例では、変動パターン決定手段１１５は、ぱちんこ遊技機１０の起動時に、通常状態において変動パターンを選択するときに参照されるパターン選択テーブルとして、この起動時パターン選択テーブルを選択する。また、変動パターン決定手段１１５は、ぱちんこ遊技機１０が起動されてから所定期間が経過したときに、通常状態において変動パターンを選択するときに参照すべきパターン選択テーブルを起動時パターン選択テーブルから通常パターン選択テーブルに変更する。なお、第１の実施例においてぱちんこ遊技機１０を起動する、とは、ぱちんこ遊技機１０の電源をオンにして遊技制御装置１００に電力が供給される状態になることや、ぱちんこ遊技機１０のリセットボタン（図示せず）が押されて、ぱちんこ遊技機１０の電源がオンにされたまま遊技制御装置１００が再起動される場合をいう。
【００６２】
起動時パターン選択テーブルにおいても、当否抽選の結果に応じて、パターン決定抽選値と変動パターン番号とが対応付けられている。例えば当否抽選の結果が当たりであった場合に選択され得る変動パターン番号、当否抽選の結果の結果が外れであった場合に選択され得る変動パターン番号、およびそれらの変動パターン番号の各々が示す特別図柄１９２の変動時間は、通常パターン選択テーブルと同様である。
【００６３】
しかし、起動時パターン選択テーブルでは、スーパーリーチまたはノーマルリーチとなる確率、すなわちリーチとなる確率が通常パターン選択テーブルよりも高くなるよう、パターン決定抽選値と変動パターン番号とが対応付けられている。具体的には、起動時パターン選択テーブルでは、当否抽選の結果が外れであった場合におけるリーチとなる確率、すなわち変動パターン番号「１１」〜「１８」が選択される確率が、通常パターン選択テーブルよりも高くなるようパターン決定抽選値と変動パターン番号とが対応付けられている。一方、当否抽選の結果の結果が当たりであった場合におけるパターン決定抽選値と変動パターン番号との対応関係は通常パターン選択テーブルと同様となっている。
【００６４】
さらに、起動時パターン選択テーブルでは、通常パターン選択テーブルに対し、スーパーリーチとなる確率、すなわち変動パターン番号「０１」〜「０４」、「１１」〜「１４」が選択される確率が、ノーマルリーチとなる確率、すなわち変動パターン番号「０５」〜「０８」、「１５」〜「１８」が選択される確率より高い幅で引き上げられている。このため、通常パターン選択テーブルでは、当否抽選の結果が外れであった場合におけるスーパーリーチとなる確率はノーマルリーチとなる確率よりも低いが、起動時パターン選択テーブルでは、当否抽選の結果が外れであった場合におけるスーパーリーチとなる確率がノーマルリーチとなる確率と同様とされている。これによって、通常パターン選択テーブルを参照して変動パターンを選択しているときには頻繁に見ることができないスーパーリーチであっても、起動時パターン選択テーブルを参照して変動パターンを選択しているときには相対的に高い頻度で見ることが可能となる。
【００６５】
このように変動パターン決定手段１１５は、ぱちんこ遊技機１０の起動時に、リーチ状態となる演出パターンに対応する変動パターン番号が通常パターン選択テーブルよりも高い確率で選択される起動時パターン選択テーブルを、通常状態において変動パターンを選択するときに参照すべきパターン選択テーブルとして選択する。これにより、遊技機の起動後、所定期間が経過するまでの間は、リーチ状態となる演出を遊技者により多く見せることが可能となる。このため、例えば、普段はあまり頻繁に見ることの出来ないリーチ状態であっても、開店時など早期に来店する遊技者は見ることができる可能性を増加させることができる。このため、開店時など遊技者の早期の来店をより喚起することができる。
【００６６】
なお、このような態様に限定されないことは勿論であり、例えば変動パターン決定手段１１５は、ぱちんこ遊技機１０の起動時に、「特定のリーチ状態」となる演出パターンに対応する変動パターン番号が通常パターン選択テーブルよりも高い確率で選択される起動時パターン選択テーブルを、通常状態において変動パターンを選択するときに参照すべきパターン選択テーブルとして選択する。この「特定のリーチ状態」は、例えば通常パターン選択テーブルを参照した場合では選択される可能性が相対的に低い変動パターン番号に対応する演出パターンに含まれる演出内容であってもよい。これによって、開店時にこのぱちんこ遊技機１０で遊技を楽しむときに、普段はなかなか表示されないレアな演出を高い確率で楽しむことができるため、開店時など早期の来客を喚起することができる。
【００６７】
以上のように、起動時パターン選択テーブルは、ノーマルリーチやスーパーリーチなどのリーチ状態となる演出パターンに対応する変動パターン番号が通常パターン選択テーブルよりも高い確率で選択される。リーチ状態となる演出パターンは、リーチ状態とならない演出パターンよりも演出のために長時間を要することから、起動時パターン選択テーブルは、特別図柄１９２の変動時間も長い変動パターンが、通常パターン選択テーブルより高い確率で選択されることになる。したがって起動時パターン選択テーブルでは、含まれる変動パターンによる特別図柄１９２の平均変動時間の設計値が、通常パターン選択テーブルよりも長くなるよう、パターン決定抽選値と変動パターン番号とが対応付けられている。
【００６８】
これに対して、起動時パターン選択テーブルにおいて、含まれる変動パターンによる特別図柄１９２の平均変動時間の設計値が通常パターン選択テーブルよりも短くなるよう、パターン決定抽選値と変動パターン番号とが対応付けられていてもよい。この場合、変動パターン決定手段１１５は、ぱちんこ遊技機１０の起動時に、含まれる変動パターンによる特別図柄１９２の平均変動時間の設計時が通常パターン選択テーブルよりも短い起動時パターン選択テーブルを、通常状態において変動パターンを選択するときに参照すべきパターン選択テーブルとして選択する。また、変動パターン決定手段１１５は、ぱちんこ遊技機１０が起動されてから所定期間の経過後、変動パターンを選択するときに参照すべきパターン選択テーブルを起動時パターン選択テーブルから通常パターン選択テーブルに変更する。
【００６９】
このような起動時パターン選択テーブルが、通常状態において参照されて変動パターン番号が選択される場合、通常パターン選択テーブルが参照されているときよりも、当否抽選が保留されている当否抽選値を素早く消化することが可能となる。このため、遊技開始から早期に当たりとなる可能性が高い状態とすることができる。このため、このように遊技開始から早期に当たりとなりたい遊技者の開店時における来店を喚起することができる。
【００７０】
なお、変動パターンを選択するときに参照すべきパターン選択テーブルとして起動時パターン選択テーブルが選択されている場合は、変動パターン番号「０１」〜「０４」の各々と変動パターン番号「１１」〜「１４」の各々との間で共通する演出過程が示唆する「期待度」は、通常パターン選択テーブルが選択されている場合と異なるものとなっている。具体的には、上述のように、起動時パターン選択テーブルは、当否抽選の結果が外れであった場合におけるリーチとなる確率が通常パターン選択テーブルよりも高くなり、当否抽選の結果が当たりであった場合におけるリーチとなる確率は通常パターン選択テーブルと同じになるようパターン決定抽選値と変動パターン番号とが対応付けられている。このため、各々の共通演出内容が示唆する期待度は、参照すべきパターン選択テーブルとして起動時パターン選択テーブルが選択されている方が、通常パターン選択テーブルが選択されているときよりも低くなっている。例えば、変動パターン「０１」が選択された場合と変動パターン番号「１１」が選択された場合とで共通する、上述したキャラクタＡと敵キャラクタＢとの格闘シーンは、参照すべきパターン選択テーブルとして起動時パターン選択テーブルが選択されている方が、通常パターン選択テーブルが選択されているときよりも低い期待度を示唆する。こうして、ぱちんこ遊技機１０が起動されてから所定期間が経過するまでの間、当否抽選の結果が当たりとなる確率を変更することなくリーチ状態となる確率を高めている。
【００７１】
図６は、ぱちんこ遊技機における基本的な動作過程を示すフローチャートである。まず、遊技球が始動口６２、一般入賞口７２、大入賞口６６などへ入賞した場合や、遊技球が作動口６８を通過した場合の処理を実行し（Ｓ１０）、特別遊技中でなければ（Ｓ１２のＮ）、当否抽選などの通常遊技の制御処理を実行し（Ｓ１４）、特別遊技中であれば（Ｓ１２のＹ）、特別遊技の制御処理を実行し（Ｓ１６）、Ｓ１０からＳ１６までの処理における各種入賞に応じた賞球払出を処理する（Ｓ１８）。
【００７２】
図７は、図６におけるＳ１４の通常遊技制御処理を詳細に示すフローチャートである。通常遊技制御処理において、当否抽選値の保留がなされている場合であって（Ｓ３０のＹ）、図柄変動が表示中でなければ（Ｓ３２のＮ）、当否抽選手段１１２が当否判定処理を実行する（Ｓ３４）。その判定結果に応じてメイン表示制御手段１１８が変動表示を開始するとともに、変動開始コマンドを演出表示制御手段１３４へ送信し、これを受信した演出表示制御手段１３４が変動パターンデータにしたがって演出画像の変動表示を開始する（Ｓ３６）。Ｓ３０において当否抽選値が保留されていなかった場合は（Ｓ３０のＮ）、Ｓ３２からＳ３６までの処理がスキップされ、Ｓ３２において図柄変動が表示中であった場合は（Ｓ３２のＹ）、Ｓ３４およびＳ３６の処理がスキップされる。続いて、図柄変動表示がすでに開始されていれば（Ｓ３８のＹ）、図柄変動表示処理を実行し（Ｓ４０）、図柄変動表示が開始されていないときは（Ｓ３８のＮ）、Ｓ４０をスキップする。
【００７３】
図８は、図７におけるＳ３４の当否判定処理を詳細に示すフローチャートである。当否抽選手段１１２が当否抽選値を読み出して（Ｓ４２）、その当否抽選値に基づいて当否を判定する（Ｓ４４）。図柄決定手段１１４は、当否判定結果に基づいて特別図柄の停止図柄を決定する（Ｓ４６）。特別図柄が決定されると、変動パターン決定手段１１５は、特別図柄の変動パターンを決定する（Ｓ４８）。
【００７４】
特別図柄の変動パターン決定処理を終了すると、変動パターン決定手段１１５は、パターン選択テーブル変更処理を実施する（Ｓ５０）。パターン選択テーブル変更処理を終了すると、演出決定手段１３２は、装飾図柄１９０の停止図柄を決定すると共に（Ｓ５２）、受信した変動パターン番号に基づいて演出パターンを決定する（Ｓ５４）。
【００７５】
図９は、図８におけるＳ５０の第１の実施例に係るパターン選択テーブル変更処理の手順を詳細に示すフローチャートである。変動パターン決定手段１１５は、通常状態では起動時パターン選択テーブルを参照しているか否かを判定する（Ｓ１００）。ここで、この「通常状態では」とは、通常遊技状態のうち時短状態などの特定遊技状態にないときをいう。変動パターン決定手段１１５は、このように通常状態において参照するパターン選択テーブルを示す通常状態テーブルフラグを保持する。変動パターン決定手段１１５は、変動パターンを選択するときに参照すべきパターン選択テーブルを選択するときに、この通常状態テーブルフラグを、選択する起動時パターン選択テーブルまたは通常パターン選択テーブルを示す値に設定する。変動パターン決定手段１１５は、この通常状態テーブルフラグを参照して、通常状態では起動時パターン選択テーブルを参照しているか否かを判定する。したがって、例えば特定遊技状態として時短状態に移行しており、時短パターン選択テーブルを参照して変動パターンを選択している場合であっても、変動パターン決定手段１１５は、通常状態では起動時パターン選択テーブルを参照しているか否かを判定する。
【００７６】
通常状態では起動時パターン選択テーブルを参照していない、すなわち通常状態では通常パターン選択テーブルを参照して変動パターンを選択している場合（Ｓ１００のＮ）、通常状態において参照すべきパターン選択テーブルの変更を回避し、本フローチャートにおける処理を終了する。
【００７７】
通常状態では起動時パターン選択テーブルを参照して変動パターンを選択している場合（Ｓ１００のＹ）、変動パターン決定手段１１５は、変動パターンの選択履歴構築処理する（Ｓ１０２）。変動パターンの選択履歴構築処理されると、変動パターン決定手段１１５は、変動回数カウンタの値がＮ１か否かを判定する（Ｓ１０４）。第１の実施例では、Ｎ１は１００に設定されている。変動回数カウンタの値がＮ１と判定された場合、すなわち、ぱちんこ遊技機１０の起動時からの特別図柄１９２の変動回数が１００回に達した場合（Ｓ１０４のＹ）、変動パターン決定手段１１５は、通常状態において参照すべきパターン選択テーブルを起動時パターン選択テーブルから通常パターン選択テーブルに変更する（Ｓ１０６）。
【００７８】
変動回数カウンタの値がＮ１に達していない場合、すなわち、ぱちんこ遊技機１０の起動時からの特別図柄１９２の変動回数が１００回に達していない場合（Ｓ１０４のＮ）、変動パターン決定手段１１５は、変動パターンの選択履歴がテーブル変更条件を満たしたか否かを判定する（Ｓ１０８）。
【００７９】
ここで、第１の実施例では、スーパーリーチの演出を含む演出パターンに対応する所定の変動パターン番号がすべて１回以上選択されることをテーブル変更条件としている。具体的には、変動パターン決定手段１１５は、変動パターン番号「０１」または「１１」が選択されたことを示す第１フラグと、変動パターン番号「０２」または「１２」が選択されたことを示す第２フラグと、変動パターン番号「０３」または「１３」が選択されたことを示す第３フラグと、変動パターン番号「０４」または「１４」が選択されたことを示す第４フラグを保持する。例えば、変動パターン番号「０１」または「１１」が選択された場合、変動パターン決定手段１１５は、第１フラグをオンに設定する。変動パターン決定手段１１５は、対応する変動パターン番号が選択されたときに第２フラグ〜第４フラグも同様にオンに設定する。この設定は、後述するＳ１０２で行われる。
【００８０】
変動パターン決定手段１１５は、第１フラグ〜第４フラグ全てがオンに設定されているか否かを判定することによって、テーブル変更条件を満たしたか否かを判定する。変動パターンの選択履歴がテーブル変更条件を満たさない場合（Ｓ１０８のＮ）、変動回数カウンタの値を１つインクリメントして、本フローチャートにおけす処理を終了する。
【００８１】
変動パターンの選択履歴がテーブル変更条件を満たす場合（Ｓ１０８のＹ）、変動パターン決定手段１１５は、通常状態において参照すべきパターン選択テーブルを起動時パターン選択テーブルから通常パターン選択テーブルに変更する（Ｓ１０６）。このように変動パターンの選択履歴がテーブル変更条件を満たす場合は、スーパーリーチの演出を一通り遊技者が見たことになる。したがって、もはや起動時パターン選択テーブルを参照して変動パターンを選択する意義は薄くなるため、第１の実施例では、このような変動パターンの選択履歴がテーブル変更条件を満たす場合に、通常状態において参照すべきパターン選択テーブルを起動時パターン選択テーブルから通常パターン選択テーブルに変更している。
【００８２】
なお、このような態様に限られないことは勿論であり、例えば変動パターン決定手段１１５は、例えば特定のリーチ状態の演出を含む演出パターンに対応する変動パターンが選択されたことを、テーブル変更条件としてもよい。このとき、この「特定のリーチ状態」は、例えば通常パターン選択テーブルを参照した場合では選択される可能性が相対的に低い変動パターン番号に対応する演出パターンに含まれる演出内容であってもよい。これによって、普段はなかなか表示されないレアな演出を遊技者が見た時点でパターン選択テーブルを変更することができる。
【００８３】
図１０は、図９におけるＳ１０２の変動パターンの選択履歴構築処理の詳細な手順を示すフローチャートである。変動パターン決定手段１１５は、スーパーリーチに対応する変動パターン番号「０１」〜「０４」、「１１」〜「１４」のいずれかが選択されたか否かを判定する（Ｓ１２０）。スーパーリーチに対応するこれらの変動パターン番号が選択されていない場合（Ｓ１２０のＮ）、本フローチャートにおける処理を終了する。
【００８４】
スーパーリーチに対応する変動パターン番号が選択された場合（Ｓ１２０のＹ）、変動パターン決定手段１１５は、第１フラグ〜第４フラグのうち対応するフラグがオフとなっているか否かを判定することにより、同じスーパーリーチに対応する変動パターン番号が未選択か否かを判定する（Ｓ１２２）。第１フラグ〜第４フラグのうち対応するフラグがオンにされており、同じスーパーリーチに対応する変動パターン番号がすでに選択されている場合（Ｓ１２２のＮ）、本フローチャートにおける処理を終了する。第１フラグ〜第４フラグのうち対応するフラグがオフのままであり、同じスーパーリーチに対応する変動パターン番号が未選択の場合（Ｓ１２２のＹ）、変動パターン決定手段１１５は、第１フラグ〜第４フラグのうち対応するフラグをオンに設定することによってその変動パターンの変動履歴を構築する（Ｓ１２４）。
【００８５】
図１１は、図６におけるＳ１６を詳細に示すフローチャートである。まず、大入賞口６６が開放済でなければ（Ｓ７０のＮ）、演出表示制御手段１３４が特別遊技の演出処理を開始し（Ｓ７２）、開閉制御手段１２４が大入賞口６６を開放する（Ｓ７４）。大入賞口６６が開放済であればＳ７２およびＳ７４をスキップする（Ｓ７０のＹ）。大入賞口６６が開放されてから所定の開放時間が経過した場合（Ｓ７６のＹ）、または、開放時間が経過していないものの（Ｓ７６のＮ）、大入賞口６６へ遊技球が９球以上入球した場合（Ｓ７８のＹ）、開閉制御手段１２４が大入賞口６６を閉鎖させる（Ｓ８０）。開放時間が経過しておらず（Ｓ７６のＮ）、大入賞口６６への入球数も９球以上に達していない場合は（Ｓ７８のＮ）、Ｓ８０以降の処理をスキップしてＳ１６のフローを終了する。
【００８６】
Ｓ８０における大入賞口６６の閉鎖後、単位遊技のラウンド数が１５に達していた場合（Ｓ８２のＹ）、演出表示制御手段１３４は特別遊技の演出処理を終了させ（Ｓ８４）、特別遊技制御手段１２０は特別遊技を終了させる（Ｓ８６）。ラウンド数が１５に達していなければ（Ｓ８２のＮ）、ラウンド数に１を加算してＳ１６のフローを終了する（Ｓ９０）。
【００８７】
（第２の実施例）
図１２は、第２の実施例に係る第２通常パターン選択テーブルを示す図である。なお、図４に示す通常パターン選択テーブルを、第２の実施例では「第１通常パターン選択テーブル」として説明する。また、特に言及しない限り、第２の実施例に係るぱちんこ遊技機の構成および動作は、第１の実施例に係るぱちんこ遊技機１０と同様である。
【００８８】
第２通常パターン選択テーブルでは、第１通常パターン選択テーブルと同様に、当否抽選の結果に応じて、パターン決定抽選値と変動パターン番号とが対応付けられている。例えば当否抽選の結果が当たりであった場合に選択され得る変動パターン番号、当否抽選の結果の結果が外れであった場合に選択され得る変動パターン番号、およびそれらの変動パターン番号の各々が示す特別図柄１９２の変動時間は、第２通常パターン選択テーブルも第１通常パターン選択テーブルと同様である。
【００８９】
第２通常パターン選択テーブルでは、スーパーリーチまたはノーマルリーチとなる確率、すなわちリーチとなる確率が第１通常パターン選択テーブルよりも低くなるよう、パターン決定抽選値と変動パターン番号とが対応付けられている。具体的には、第２通常パターン選択テーブルでは、当否抽選の結果が外れであった場合におけるリーチとなる確率、すなわち変動パターン番号「１１」〜「１８」が選択される確率が、第１通常パターン選択テーブルよりも低くなるようパターン決定抽選値と変動パターン番号とが対応付けられている。一方、当否抽選の結果の結果が当たりであった場合におけるパターン決定抽選値と変動パターン番号との対応関係は第１通常パターン選択テーブルと同様となっている。
【００９０】
以上のように、第２通常パターン選択テーブルは、ノーマルリーチやスーパーリーチなどのリーチ状態となる演出パターンに対応する変動パターン番号が通常パターン選択テーブルよりも低い確率で選択される。リーチ状態となる演出パターンは、リーチ状態とならない演出パターンよりも演出のために長時間を要することから、起動時パターン選択テーブルは、特別図柄１９２の変動時間も長い変動パターンが、通常パターン選択テーブルより低い確率で選択されることになる。したがって第２通常パターン選択テーブルでは、含まれる変動パターンによる特別図柄１９２の平均変動時間の設計値が、第１通常パターン選択テーブルよりも短くなるよう、パターン決定抽選値と変動パターン番号とが対応付けられている。
【００９１】
図１３は、第２の実施例に係る第３通常パターン選択テーブルを示す図である。第３通常パターン選択テーブルでは、第１通常パターン選択テーブルと同様に、当否抽選の結果に応じて、パターン決定抽選値と変動パターン番号とが対応付けられている。例えば当否抽選の結果が当たりであった場合に選択され得る変動パターン番号、当否抽選の結果の結果が外れであった場合に選択され得る変動パターン番号、およびそれらの変動パターン番号の各々が示す特別図柄１９２の変動時間は、第３通常パターン選択テーブルも第１通常パターン選択テーブルと同様である。
【００９２】
第３通常パターン選択テーブルでは、スーパーリーチまたはノーマルリーチとなる確率、すなわちリーチとなる確率が第１通常パターン選択テーブルよりも高くなるよう、パターン決定抽選値と変動パターン番号とが対応付けられている。具体的には、第３通常パターン選択テーブルでは、当否抽選の結果が外れであった場合におけるリーチとなる確率、すなわち変動パターン番号「１１」〜「１８」が選択される確率が、第１通常パターン選択テーブルよりも高くなるようパターン決定抽選値と変動パターン番号とが対応付けられている。一方、当否抽選の結果の結果が当たりであった場合におけるパターン決定抽選値と変動パターン番号との対応関係は第１通常パターン選択テーブルと同様となっている。
【００９３】
以上のように、第３通常パターン選択テーブルは、ノーマルリーチやスーパーリーチなどのリーチ状態となる演出パターンに対応する変動パターン番号が通常パターン選択テーブルよりも高い確率で選択される。リーチ状態となる演出パターンは、リーチ状態とならない演出パターンよりも演出のために長時間を要することから、第３通常パターン選択テーブルは、特別図柄１９２の変動時間も長い変動パターンが、通常パターン選択テーブルより高い確率で選択されることになる。したがって第３通常パターン選択テーブルでは、含まれる変動パターンによる特別図柄１９２の平均変動時間の設計値が、通常パターン選択テーブルよりも長くなるよう、パターン決定抽選値と変動パターン番号とが対応付けられている。
【００９４】
変動パターン決定手段１１５は、ぱちんこ遊技機１０が起動されたときに、含まれる変動パターンによる特別図柄１９２の平均変動時間の設計値がこのように互いに異なる第１通常パターン選択テーブル、第２通常パターン選択テーブル、および第３通常パターン選択テーブルの中から、通常状態において参照すべきパターン選択テーブルを決定する。変動パターン決定手段１１５は、以後、ぱちんこ遊技機１０の起動が終了するまで、このときに選択したパターン選択テーブルを参照して変動パターンを選択する。これにより、例えば複数の日にまたがって同じ機種のぱちんこ遊技機で遊技を楽しむ場合や、複数の台を移動しながら同じ機種のぱちんこ遊技機１０で遊技を楽しむ場合において、同じ機種であっても異なる傾向の演出を遊技者に提供することができる。
【００９５】
このため、例えば起動時に第２通常パターン選択テーブルが選択されたぱちんこ遊技機１０では、起動時に第１通常パターン選択テーブルが選択されたぱちんこ遊技機１０よりも、遊技開始から早期に当たりとなる可能性が高い状態とすることができる。このため、このように遊技開始から早期に当たりとなりたい遊技者のニーズに合致した設定状態となる。
【００９６】
また、変動パターン決定手段１１５は、ぱちんこ遊技機１０が起動されたときに、通常状態において変動パターンを選択するときに参照すべきパターン選択テーブルを、リーチ状態となる演出パターンに対応する変動パターン番号「０１」〜「０８」、「１１」〜「１８」の選択確率が互いに異なる複数のパターン選択テーブルの中から決定するということもできる。これにより、例えば同じぱちんこ遊技機１０であっても、リーチ状態となる確率が相対的に高い遊技機と、リーチ状態になる確率が相対的に低い遊技機とを設けることができる。このため、例えば起動時に第３通常パターン選択テーブルが選択されたぱちんこ遊技機１０では、起動時に第１通常パターン選択テーブルが選択されたぱちんこ遊技機１０よりも高い頻度でリーチとなる演出を見ることが可能となる。
【００９７】
このように、起動時に第１〜第３通常パターン選択テーブルのいずれかを、通常状態において変動パターンを選択するときに参照すべきパターン選択テーブルとして選択することによって、同一の機種においても、演出の傾向が異なるぱちんこ遊技機１０を設けることができる。このため、遊技機毎の演出の傾向の違いに遊技者の興味を引かせることが可能となる。
【００９８】
なお、ぱちんこ遊技機１０の例えば裏面に、起動時のパターン選択テーブルを、第１通常パターン選択テーブル、第２通常パターン選択テーブル、および第３通常パターン選択テーブルのうちいずれかを指定するためのテーブル選択スイッチが設けられていてもよい。この場合、変動パターン決定手段１１５は、ぱちんこ遊技機１０の起動時にテーブル選択スイッチによってどのパターン選択テーブルが選択されているか判定する。変動パターン決定手段１１５は、こうしてテーブル選択スイッチによって選択されているパターン選択テーブルを、通常状態において変動パターンを選択するときに参照すべきパターン選択テーブルとして選択する。
【００９９】
このようにテーブル選択スイッチを設けることによって、例えばホールの従業員が開店前に、通常状態において変動パターンを選択するときに参照すべきパターン選択テーブルを設定することが可能となる。このため、例えばホールでイベントを行う場合など、当否抽選の結果が当たりとなる回数を増やしたい場合は、通常状態において参照すべきパターン選択テーブルとして平均変動時間が相対的に短い第２通常パターン選択テーブルを設定しておくことにより、より多く特別図柄１９２を変動させることができる。逆に、イベントなどを行わない平日など、ホールがそれほど混み合わないときは、通常状態において参照すべきパターン選択テーブルとして平均変動時間が相対的に長い第３通常パターン選択テーブルを設定しておくことにより、リーチ状態となる可能性を高めて遊技者に遊技をゆっくりと楽しんでもらう設定とすることもできる。
【０１００】
パターン選択テーブルの種類は当たりとなる確率に影響を与えないため、どのパターン選択テーブルが選択された場合においても、当たりとなる確率において有利または不利となることはないと考えられる。また、リーチ状態となったときは、遊技者はストップボタンを押すことによって遊技球が減ることを抑制することができるため、遊技球の消化についても有利または不利となることはないと考えられる。このため、このように通常状態において参照すべきパターン選択テーブルをテーブル設定ボタンで設定可能とすることにより、遊技者に有利または不利を与えることを回避しつつ、通常状態において参照すべきパターン選択テーブルホールの状況に応じて設定することができ、このテーブル設定ボタンをホール経営の一部に利用することができる。
【０１０１】
以上、本発明を実施例をもとに説明した。この実施例はあくまで例示であり、それらの各構成要素や各処理プロセスの組合せにいろいろな変形例が可能なこと、またそうした変形例も本発明の範囲にあることは当業者に理解されるところである。
【図面の簡単な説明】
【０１０２】
【図１】ぱちんこ遊技機の前面側における基本的な構造を示す図である。
【図２】ぱちんこ遊技機の背面側における基本的な構造を示す図である。
【図３】第１の実施例におけるぱちんこ遊技機の機能ブロックを示す図である。
【図４】第１の実施例に係る通常パターン選択テーブルを示す図である。
【図５】第１の実施例に係る起動時パターン選択テーブルを示す図である。
【図６】ぱちんこ遊技機における基本的な動作過程を示すフローチャートである。
【図７】図６におけるＳ１４の通常遊技制御処理を詳細に示すフローチャートである。
【図８】図７におけるＳ３４の当否判定処理を詳細に示すフローチャートである。
【図９】図８におけるＳ５０の第１の実施例に係るパターン選択テーブル変更処理の手順を詳細に示すフローチャートである。
【図１０】図９におけるＳ１０２の変動パターンの選択履歴構築処理の詳細な手順を示すフローチャートである。
【図１１】図６におけるＳ１６を詳細に示すフローチャートである。
【図１２】第２の実施例に係る第２通常パターン選択テーブルを示す図である。
【図１３】第２の実施例に係る第３通常パターン選択テーブルを示す図である。
【符号の説明】
【０１０３】
１０  ぱちんこ遊技機、  ５０  遊技盤、  ５２  遊技領域、  ６０  演出表示装置、  ６１  特別図柄表示装置、  ６２  始動口、  ９０  遊技効果ランプ、  １００  遊技制御装置、  １０２  メイン基板、  １０４  サブ基板、  １１２  当否抽選手段、  １１４  図柄決定手段、１１５  変動パターン決定手段、  １１８  メイン表示制御手段、  １２０  特別遊技制御手段、  １２２  特定遊技実行手段、  １３０  パターン記憶手段、  １３２  演出決定手段、  １３４  演出表示制御手段。  
【図１】
2010136801.tif 000003
【図２】
2010136801.tif 000004
【図３】
2010136801.tif 000005
【図４】
2010136801.tif 000006
【図５】
2010136801.tif 000007
【図６】
2010136801.tif 000008
【図７】
2010136801.tif 000009
【図８】
2010136801.tif 000010
【図９】
2010136801.tif 000011
【図１０】
2010136801.tif 000012
【図１１】
2010136801.tif 000013
【図１２】
2010136801.tif 000014
【図１３】
2010136801.tif 000015